(57)【要約】【課題】  本発明は、介在の難燃化と発泡化によりケーブル全体の難燃性の向上と可撓性の維持を図った高速伝送用ケーブルを提供する。【解決手段】  かゝる本発明の高速伝送用ケーブル１００は、複数の絶縁電線１１０の間に難燃剤と発泡剤の添加された複数の介在１２０を撚り合わせ、必要により、このケーブルコアの外周に、ラミネートテープなどからなるテープ層１３０や金属層１４０が施され、最外周にはシース１５０が施されてなり、火災などの際、ケーブル１００内に火が入っても、介在１２０の難燃化により介在自体が燃え難くく、一方、この火災の加熱により発泡剤が発泡するため、発泡による吸熱反応や、体積膨張による内圧上昇によって、優れたケーブルの延焼防止効果が得られる。また、内蔵の絶縁電線１１０や、シース部分、及びケーブル構造自体の難燃化が不要なため、誘電率ε及び誘電正接ｔａｎδが小さく、優れた可撓性も得られる。る【選択図】  図１
2005340105.tif 000002
【特許請求の範囲】
【請求項１】
絶縁電線間に発泡剤を含有させた難燃性介在に設けたことを特徴とする高速伝送用ケーブル。
【請求項２】
前記絶縁電線が２芯平行シールド線であることを特徴とする請求項１記載の高速伝送用ケーブル。
【発明の詳細な説明】
【技術分野】
【０００１】
本発明は、介在の難燃化と発泡化によりケーブル全体の難燃性の向上と可撓性の維持を図った高速伝送用ケーブルに関するものである。
【背景技術】
【０００２】
近年、ストレージネットワーク（ＳＡＮ）における周辺機器やサーバー間にあっては、高速伝送用ケーブルとして、２本のツイン電線（２芯平行シールド線）を複数内蔵させたケーブルが提案されている（非特許文献１）。
【非特許文献１】フジクラ技報（第１０４号、２００３年４月、株式会社フジクラ発行）−「インフィニパンドケーブル
【０００３】
近年、このような高速伝送用ケーブルなどでは、その取り扱う信号の高周波数化が進み、ものによっては、数〜数十ＧＨｚの帯域レベルに達している。
このようなケーブルの場合、内臓される絶縁電線での損失（誘電損）をなるべく小さくするため、絶縁体層部分の誘電率ε及び誘電正接ｔａｎδをより小さくすることが要求されている。しかし、一方で、火災などの際、ケーブルによる延焼を防止するため、ケーブルの難燃化の要請も強い。
【発明の開示】
【発明が解決しようとする課題】
【０００４】
ところが、ケーブルの難燃化のため、２本のツイン電線などの内臓絶縁電線の絶縁体部分に難燃剤を添加して難燃化すると、絶縁体の誘電率ε及び誘電正接ｔａｎδが大きくなり、信号の伝送ロスが増大して、ケーブルの布設距離が長くできないという問題があった。
【０００５】
このため、ケーブルのシース部分を難燃化したり、遮蔽層を設けるなどしてケーブル構造自体を難燃化したりして、ケーブル全体の難燃化を図る必要があるが、この場合、ケーブル全体の柔軟性、即ち可撓性が失われて取り回しが悪くなるという問題がある。
【０００６】
そこで、本発明者が鋭意検討したところ、次のような新たな着想を見出した。つまり、ケーブルの介在に注目し、この介在自体を難燃化すると同時に、介在中に所望の発泡剤を含有（充填）させておくと、ケーブル全体の難燃化が図れ、また、同時に良好な可撓性が得られることが判った。即ち、火災などの際、ケーブル内に火が入っても、難燃化により介在自体が燃え難く、一方、火災の加熱により発泡剤が発泡するため、この発泡による吸熱反応や、体積膨張による内圧上昇によっても、ケーブルの延焼防止効果が得られる判った。
【０００７】
本発明は、このような観点に立ってなされたもので、基本的には、介在の難燃化と発泡化により、誘電率ε及び誘電正接ｔａｎδが小さく、ケーブル全体の難燃性の向上と可撓性の維持を図った高速伝送用ケーブルを提供するものである。
【課題を解決するための手段】
【０００８】
請求項１記載の本発明は、絶縁電線間に発泡剤を含有させた難燃性介在に設けたことを特徴とする高速伝送用ケーブルにある。
【０００９】
請求項２記載の本発明は、前記絶縁電線が２芯平行シールド線であることを特徴とする請求項１記載の高速伝送用ケーブルにある。
【発明の効果】
【００１０】
本発明の高速伝送用ケーブルによると、介在を難燃化すると同時に発泡化してあるため、内蔵の絶縁電線の難燃化は特に必要なく、誘電率ε及び誘電正接ｔａｎδが小さく、ケーブル全体の難燃性の向上と可撓性の維持を図った高速伝送用ケーブルを得ることができる。
【００１１】
絶縁電線が２芯平行シールド線の場合、電磁遮蔽機能に優れ、また、多数のツイン線を集合させることができるため、大きな伝送容量を確保することができる。
【発明を実施するための最良の形態】
【００１２】
図１は、本発明に係る高速伝送用ケーブルの一例を示したものである。
この高速伝送用ケーブル１００は、複数の絶縁電線１１０、例えば２芯平行シールド線が内蔵されると共に、これらの絶縁電線１１０の間には、難燃剤と発泡剤を含有させた複数の介在１２０が撚り合わせてある。そして、この絶縁電線１１０と介在１２０からなるケーブルコアの外周には、樹脂テープ（ＰＥＴテープなど）の片側にアルミなどの金属を蒸着させたり、金属テープを貼り合わせるなどしたラミネートテープからなる押さえ巻き層などのテープ層１３０を施し、また、必要により、この外側に金属編粗などからなる金属層１４０などを施した後、最外周には押出被覆としてシース１４０（例えば無鉛ＰＶＣなどの層）が施してある。
【００１３】
上記２芯平行シールド線は、図２に示す如くで、２本のツイン線１１１，１１１、鋼線などのテンションメンバー１１２、これらの外周に被せたシールド層１１３からなる。絶縁電線１１１は、銀メッキ軟銅撚線や軟銅撚線からなる導体１１１ａとこの外周に被覆した発泡ポリエチレンなどの絶縁体１１１ｂからなり、シールド層１１３は、図３に示すように、樹脂テープ（ＰＥＴテープなど）１１３ａの片側にアルミなどの金属を蒸着させたり、金属テープを貼り合わせるなどしたラミネートテープからなる。
【００１４】
上記介在のベース樹脂としては、特に限定されないが、ポリオレフィン系樹脂、特にポリエチレン（ＨＤＰＥやＭＤＰＥなど）の使用が挙げられる。なお、ポリオレフィン系樹脂として、ポリエチレンの他に、ポリプロピレン（ＰＰ）、ブテン−１、ペンテン−１、ヘキセン−１、ヘプテン−１などのポリオレフィン系炭化水素モノマーの単独重合体、これらの２種類以上のモノマーの共重合体、例えばエチレン−プロピレン共重合体、エチレン−ブテン−１共重合体など、或いはこれらのオレフィン系炭化水素モノマーと少量のビニルエステル系モノマーやアクリレート系モノマーとの共重合体、例えばエチレン−酢酸ビニル共重合体（ＥＶＡ）、エチレン−エチルアクリレート共重合体（ＥＥＡ）なども使用することができる。また、これらの各種の重合体を単独で用いる他、２種以上の混合物として使用することも可能である。
【００１５】
この介在は、上記ベース樹脂を用いて、予め押出機により紐状や板状のものとして製造しておく。この製造時、所望の難燃剤と発泡剤を添加しておく。ここで、使用する難燃剤は、特に限定されないが、ノンハロゲン系難燃剤としては、水酸化アルミニウムや水酸化マグネシウムなどの金属水酸化物、三酸化アンチモン、ほう酸亜鉛、りん酸エステル及びりん化合物、ハロゲン系難燃剤としては、塩素や臭素系の化合物などを挙げることができる。近年の環境保護の観点からすると、ノンハロゲン系のものの使用が望ましい。
【００１６】
また、使用する発泡剤も、特に限定されないが、少なくとも発泡温度が、介在の押出温度よりも高いものの選定が必要となる。従って、通常使用される重炭酸ナトリウム、重炭酸アンモニウムなどの無機発泡剤、アゾジカルボンアミドなどのアゾ化合物、Ｎ，Ｎ’−ジニトロソ・ペンタメチレン・テトラミンなどのニトロソ化合物、スルホニル・シドラジッドなどの発泡剤の中から、押出温度を考慮して、適宜設定すればよい。
【００１７】
本発明の高速伝送用ケーブルでは、上記のように、介在のベース樹脂中には、所望の難燃剤と発泡剤が添加されているため、ケーブル布設状況下で、火災などの際、ケーブル内に火が入っても、介在の難燃化により介在自体が燃え難くく、先ず、この点からの延焼防止効果が得られる。一方、この火災の加熱により発泡剤が発泡するため、発泡による吸熱反応や、体積膨張による内圧上昇によっても、ケーブルの延焼防止効果が得られる。
【００１８】
また、このようなケーブルの延焼防止効果にあっても、その用途に応じて、例えば、介在の占有率（ケーブル断面に対する占有面積）を変えることにより、適宜調整することができる。例えば、より高い難燃度が要求される場合には、介在自体の難燃度を高めたり、或いは介在の本数を増やして占有率を高めて対応することができる。
【００１９】
このように本発明の高速伝送用ケーブルでは、介在の難燃化と発泡化を図っているため、内蔵の絶縁電線の絶縁体部分を特に難燃化する必要はない。また、従来のように、シース部分を難燃化したり、遮蔽層を設けるなどしてケーブル構造自体を難燃化したりする必要もないため、ケーブル全体の柔軟性、即ち可撓性が失われることもなく、取り回しが良く、優れた使い勝手が得られる。
【図面の簡単な説明】
【００２０】
【図１】本発明に係る高速伝送用ケーブルの一例を示した断面図である。
【図２】図１のケーブルに使用される２芯平行シールド線の一例を示した断面図である。
【図３】図２の２芯平行シールド線に使用されるラミネートテープの一例を示した断面図である。
【符号の説明】
【００２１】
１００・・・ケーブル、１１０・・・絶縁電線、１２０・・・介在、１３０・・・テープ層、１４０・・・金属層、１５０・・・シース
【図１】
2005340105.tif 000003
【図２】
2005340105.tif 000004
【図３】
2005340105.tif 000005